(57)【要約】【課題】  セパレート・デリバリーでダウンロードしたコンテンツの内容を容易に認識できるようにする。【解決手段】  サーバからダウンロードされるコンテンツファイル中の暗号化されていないヘッダ部に、その暗号化されたコンテンツに関する著作権情報（タイトル、アーティスト名、ベンダー名など）を記載しておく。移動端末において、メモリに保存されているコンテンツファイルのファイル情報を参照するときに、前記著作権情報も読み出して表示することで、ユーザは暗号化されたコンテンツの内容を容易に認識することができる。【選択図】  図３
2006067434.tif 000002
【特許請求の範囲】
【請求項１】
セパレート・デリバリーによりコンテンツを配信するサーバ装置であって、
移動端末装置からの要求に応じて、暗号化されていないヘッダ部と暗号化されたコンテンツとからなり、前記暗号化されていないヘッダ部に前記暗号化されたコンテンツに関する著作権情報が記載されたコンテンツファイルを前記移動端末装置に送信することを特徴とするサーバ装置。
【請求項２】
セパレート・デリバリーによるコンテンツの配信を受ける移動端末装置であって、
暗号化されていないヘッダ部と暗号化されたコンテンツとからなるコンテンツファイルを保存する手段と、
前記コンテンツファイルの前記暗号化されていないヘッダ部に記載されている前記暗号化されたコンテンツに関する著作権情報を読み出して表示部に表示する手段とを有することを特徴とする移動端末装置。
【発明の詳細な説明】
【技術分野】
【０００１】
本発明は、セパレート・デリバリーによりコンテンツを配信するサーバ装置及び該コンテンツの配信を受ける移動端末装置に関する。
【背景技術】
【０００２】
近年、導入されつつある第３世代の移動体通信システムにおいては同一の移動端末を世界中で共通に使用することができるように標準化が進められており、ＷＡＰ（Wireless Application Protocol）及びＭＭＳ（Multimedia Messaging Service）の規格が共通仕様として採用されている（非特許文献１）。以下、ＷＡＰ及びＭＭＳ対応の移動端末を単に「ＷＡＰ対応端末」と呼ぶ。
このようなＷＡＰ対応端末においては、OMA DRM（OMA Digital Rights Management）version 1.0に準拠した著作権管理が行われることとなる。OMA DRMは、携帯電話用アプリケーション標準化団体であるオープンモバイルアライアンス（Open Mobile Alliance）が策定したデジタル著作権保護（ＤＲＭ：Digital Rights Management）の仕様である（非特許文献２）。
【０００３】
OMA DRM ver1.0においては、コンテンツの配信方式として、(1) フォワード・ロック（Forward Lock）、(2) コンバインド・デリバリー（Combined Delivery）、及び、(3) セパレート・デリバリー（Separate Delivery）の３つの仕様が規定されている。
(1) フォワード・ロック（Forward Lock）は、取得したコンテンツの転送を許容しない方式である。
(2) コンバインド・デリバリー（Combined Delivery）は、フォワード・ロック方式のコンテンツに権利（使用権の設定）を付加して配信する方式である。
(3) セパレート・デリバリー（Separate Delivery）は、暗号化されたコンテンツ（Media Object：メディアオブジェクト，ＭＯ）と、権利＋鍵（暗号化を解除するための鍵）部分（Rights Object：権利オブジェクト，ＲＯ）とを別々に配信する方式である。ここで、メディアオブジェクトはウェブからのダウンロードなどにより配信され、権利オブジェクトはＷＡＰプッシュにより配信される。移動端末上ではメディアオブジェクトと権利オブジェクトが揃って初めてそのコンテンツを利用することが可能となる。
【０００４】
前記権利オブジェクトは、コンテンツ利用権利を定義するパーミッション（許可）情報と、コンテンツ利用権利の範囲を定義するコンストレイント（制限）情報とにより定義される。OMA DRMにおいては、前記コンストレイント情報として、コンテンツ利用回数（Count：何回使用することができるか）、コンテンツ利用可能期間（Datetime：例えば、何日（start）から何日（end）まで使用することができる）及びコンテンツ利用可能時間（Interval：例えば、使用を開始してから５分間）が定義されている。
また、前記セパレート・デリバリーにおけるコンテンツ（メディアオブジェクト）の取得方法としては、ウェブからのダウンロード以外に、コンテンツが格納されたカードを取得する方法、メールなどによる配信などがある。
【非特許文献１】The WAP Forum Ltd., "WAP 2.0 Technical White Paper", [on line], (2002.01.18), ［平成１６年４月２８日検索］，インターネット<URL: http://www.wapforum.org/what/WAPWhite_Paper1.pdf>
【非特許文献２】Open Mobile Alliance, "OMA Digital Rights Management version 1.0", [on line], [平成１６年４月２８日検索］，インターネット<URL: http://www.openmobilealliance.org/tech/release.html>
【発明の開示】
【発明が解決しようとする課題】
【０００５】
上述のように、セパレート・デリバリーでは、コンテンツの配信を要求する移動端末に対して、コンテンツ・プロバイダ（ＣＰ）から暗号化されたコンテンツ（メディアオブジェクト）を送信した後、復号化のためのキー（権利オブジェクト）が別途配信される。
このとき、コンテンツ・プロバイダから提供されるコンテンツのファイル名には、コンテンツ・プロバイダにおける管理上の都合などにより、ファイルの内容とは無関係な記号からなる名前が付されている場合が多い。
移動端末は、ダウンロードしたコンテンツファイルをその名前により保存・表示するので、移動端末のユーザは、ダウンロードしたコンテンツが一体どのようなものであるのかをその名称から認識することができない。
したがって、コンテンツの利用可能期間が経過した後などに、ユーザが、そのコンテンツに対応する権利オブジェクトを再度購入するか否かを決定しようとしても、そのコンテンツの内容を知ることができず、非常に不便であった。
【０００６】
そこで、本発明は、移動端末においてセパレート・デリバリーによりダウンロードしたコンテンツの内容を容易に認識することを可能とするサーバ装置及び移動端末装置を提供することを目的としている。
【課題を解決するための手段】
【０００７】
上記目的を達成するために、本発明のサーバ装置は、セパレート・デリバリーによりコンテンツを配信するサーバ装置であって、移動端末装置からの要求に応じて、暗号化されていないヘッダ部と暗号化されたコンテンツ部とからなり、前記暗号化されていないヘッダ部に前記暗号化されたコンテンツ部に関する著作権情報が記載されたコンテンツファイルを前記移動端末装置に送信するものである。
また、本発明の移動端末装置は、セパレート・デリバリーによるコンテンツの配信を受ける移動端末装置であって、暗号化されていないヘッダ部と暗号化されたコンテンツ部とを有するコンテンツファイルを保存する手段と、前記コンテンツファイルの暗号化されていないヘッダ部に記載されている前記暗号化されたコンテンツに関する著作権情報を読み出して表示部に表示する手段とを有するものである。
【発明の効果】
【０００８】
本発明のサーバ装置は、暗号化されていないヘッダ部にその暗号化されたコンテンツに関する著作権情報（タイトル、演奏者、著作権者などのそのコンテンツに関する詳細情報）が記載されているコンテンツファイルを移動端末に送信するため、移動端末はそのヘッダ部を参照することにより、暗号化されたコンテンツの内容を認識することができる。
本発明の移動端末は、前記ヘッダ部に記載されたそのコンテンツに関する著作権情報を読み出して、そのコンテンツの内容に関する情報を表示することができるため、移動端末のユーザは、暗号化されたコンテンツの内容を認識することができる。
したがって、ユーザは、暗号化されたコンテンツの利用可能期限が切れている場合、又は、暗号化されたコンテンツに対応する権利オブジェクトがない場合などに、そのコンテンツの詳細を知ることができ、そのコンテンツに対応する権利オブジェクトを追加購入するか否かを容易に決定することができる。
【発明を実施するための最良の形態】
【０００９】
図１は、本発明のサーバ装置及び移動端末を有する移動体通信システムの要部構成を示すブロック図である。
この図において、１は移動端末（ＭＳ）、２は該移動端末１が収容される移動体通信網（３Ｇモバイルネットワーク）、３は前記移動体通信網２とインターネットなどのＩＰネットワークとのゲートウエイ（ＧＧＳＮ：Gateway GPRS Support Node）、４は前記移動端末１に対してショートメッセージを配信するショートメッセージ・サービスセンター（ＳＭＳＣ：Short Message Service Center）である。
５は前記移動端末１との間で用いられるWAP2.0プロトコルとＨＴＴＰ（HyperText Transfer Protocol ）とを変換するノードであるＷＡＰゲートウエイ（ＷＡＰ−ＧＷ：WAP-Gateway）、６はＷＡＰプッシュやメール通知の配信などのプッシュサービスを実行するプッシュ・プロキシ・ゲートウエイ（ＰＰＧ：Push Proxy Gateway）である。
７は前記ＷＡＰ−ＧＷ５とインターネット１１との間に設けられ、移動端末１からのリクエストを仲介するウェブ・ゲートウエイ（ＷＧＷ：Web Gateway）であり、サービスの登録の状態の管理や情報料に対する課金に関する処理の機能も有している。
【００１０】
８、９及び１０はＤＲＭ利用サービスを提供するためのＤＲＭプラットフォームを構成するサーバ群である。
ここで、８は、ＤＲＭコンテンツのトランザクション管理を行うＤＲＭトランザクション管理サーバ（ＤＲＭＴＭＳ：DRM Transaction Management Server）であり、移動端末１からのリクエストの制御や移動端末１との通信における状態管理などを行う。
また、９は登録された権利情報に基づいて権利オブジェクト（ＲＯ）の生成・管理を行うライセンスサーバ（ＬＳ：License Server）、１０はコンテンツ情報の登録及び付随する権利情報の登録などを制御するパッケージングサーバ（ＰＳ：Packaging Server）である。
【００１１】
１１はインターネット、１２はユーザからの要求に応じてコンテンツを提供するコンテンツ・プロバイダ（ＣＰ：Contents Provider）である。
ＣＰ１２には、コンテンツをＤＲＭ対応形式に変換する一連の処理（パッケージング）を行うためのパッケージング・ツール（Packaging Tool）が備えられており、前記ＰＳ１０などと連携してコンテンツ（メディアオブジェクト）のパッケージングを行い、コンテンツファイルを作成する。すなわち、原コンテンツや権利情報を入力として、暗号化されたコンテンツを含むコンテンツファイルを作成する。このとき、本発明においては、後述するように、コンテンツファイルのヘッダ部分にその暗号化されたコンテンツに関する著作権情報（タイトル、演奏者、著作権者などのそのコンテンツに関する詳細情報）の記述を含ませるようにしている。
【００１２】
図２は、前記移動端末装置１のハードウェア構成の概略を示すブロック図である。
本発明の移動端末１は前述したＷＡＰ対応端末であり、図２に示すように、アンテナ２１、無線受信部や無線送信部などからなる無線通信部２２、音声信号処理やベースバンド信号処理などを行う信号処理部２３、送話用マイク２４、受話用スピーカ２５、この移動端末全体の制御を行う制御部２６、制御プログラムやコンテンツのダウンロードを行うプログラムなどの各種プログラム及びダウンロードしたコンテンツなどの各種データを記憶するメモリ２７、表示部２８、キー入力部２９などから構成されている。
【００１３】
このように構成されたシステムにおいて、前記移動端末１からコンテンツのダウンロード要求があったときに、セパレート・デリバリーにおいては、コンテンツとその権利オブジェクトは別々に配信される。
コンテンツは、前記ＣＰ１２から、ＯＭＡにより規定されたダウンロード方式（ＯＭＡダウンロード）によりＨＴＴＰを用いてダウンロードされる。この方式では、コンテンツのダウンロードの前に、ダウンロード記述子（Download Descriptor：ＤＤ）を取得することで、事前にどのようなコンテンツを取得するのかを通知することができる。また、ダウンロード完了後、任意のＵＲＬに対してダウンロード完了通知（Install Notify）を送出することができる。
一方、権利オブジェクトは、前記ＤＲＭＴＭＳ８の制御のもとに、前記ライセンスサーバＬＳ９から読み出されてＰＰＧ６に送られ、該ＰＰＧ６からＳＭＳＣ４を介して、当該移動端末１にＳＭＳ（Short Message Service）と同様の方式でプッシュ配信される（ＷＡＰプッシュ）。このように、権利オブジェクトは、移動体通信事業者が設置しているライセンスサーバからＷＡＰプッシュによらなければ取得することができないようになされている。
【００１４】
前記コンテンツファイルは、ＤＲＭコンテンツフォーマット（ＤＣＦ：DRM Content Format）のファイル（以下、「ＤＣＦファイル」と呼ぶ。）とされている。このＤＣＦファイルは、暗号化されていないヘッダ部分と暗号化されたコンテンツ部分を含んでおり、本発明においては、そのヘッダ部分に、暗号化されたコンテンツに関する著作権情報（タイトル、演奏者、著作権者等の情報）を記述するようにしている。
図３の（ａ）はOMA DRMにより規定されている前記ＤＲＭコンテンツフォーマットの仕様を示し、図３の（ｂ）は本発明によるＤＣＦファイルの一例を示す。
図３の（ａ）に示すように、ＤＣＦファイルは、暗号化されていない複数のフィールド（Version, ContentTypeLen, ・・・, Headers）と暗号化されたコンテンツ(メディアオブジェクト）が含まれるDataフィールドから構成されている。
ここで、ヘッダ（Headers）フィールドには、「Encryption-Method」ヘッダ、「Rights-Issuer」ヘッダ、「Content-Name」ヘッダ、「Content-Descriptor 」ヘッダ、「Content-Vender」ヘッダなどの、コンテンツに関する付加的なメタデータを定義するヘッダ（ヘッダ名とその値の組）を記載することができるとされており、例えば、「Content-Name」ヘッダにはコンテンツに関する記述的な名前を含むことは定義されているが、具体的にどのような内容の情報を記載するかについては規定されていない。
【００１５】
そこで、本発明においては、このヘッダフィールドに、そのコンテンツに関する著作権情報を記載するようにしている。このコンテンツに関する著作権情報は、この情報を見ることにより、ユーザがそのコンテンツの内容を認識することができるようなコンテンツに関する詳細情報であり、例えば、そのコンテンツが音楽データであるときには、その曲名、アーティスト名、レーベル名などの情報であり、そのコンテンツが画像データであるときには、その画像名、画像の説明、コンテンツ・プロバイダ名などである。
図３の（ｂ）に示す例は、コンテンツが音楽データである場合を示しており、「Content-Name」ヘッダ、「Content-Descriptor」ヘッダ、及び「Content-Vender」ヘッダとして、それぞれ、曲名、アーティスト名及びレーベル名が記載されている。
このコンテンツファイル（ＤＣＦファイル）は前記ＣＰ１２のサーバ装置から当該移動端末１に送信され、前記メモリ２７に保存される。
【００１６】
本発明の移動端末装置１においては、上述のようにしてサーバ装置からダウンロードされ、あるいは、他の手段により取得されて、前記メモリ２７に保存されたコンテンツファイル（ＤＣＦファイル）のファイル情報を前記表示部２８に表示するときに、そのヘッダフィールドに記載されたそのコンテンツに関する著作権情報を表示するようにしている。
図４の（ａ）は、前記図３の（ｂ）に示したコンテンツファイル（ＤＣＦファイル）のファイル情報を前記表示部２８で表示させたときの画面表示例を示す図であり、図４の（ｂ）は従来の著作権情報が記載されていないＤＣＦファイルのファイル情報の画面表示例を示す図である。
【００１７】
移動端末１のユーザが、音楽コンテンツを再生するアプリケーションプログラム（音楽プレーヤー）を起動し、メモリ２７に保存されたコンテンツファイル（ＤＣＦファイル）を選択して、そのファイル情報を表示させる操作をしたとき、前記制御部２６は、該プログラムの制御のもとに、該ＤＣＦファイルにおけるヘッダフィールドの情報を読み出して、前記表示部２８に表示させる。
このＤＣＦファイルが、前記図３の（ｂ）に示したファイルであるときは、そのヘッダフィールドに「Content-Name」ヘッダ、「Content-Descriptor」ヘッダ、及び「Content-Vender」ヘッダの情報が記載されている。このとき、前記音楽プレーヤープログラムは、「Content-Name」ヘッダの値を「タイトル」、「Content-Descriptor」ヘッダの値を「アーティスト名」、及び、「Content-Vender」ヘッダの値を「レーベル名」と解釈して、図４の（ａ）に示すように、そのコンテンツファイルのファイル名、大きさ、ファイルの作成日とともに、そのコンテンツのタイトル、アーティスト名及びレーベル名も表示するようにしている。ユーザは、この画面表示により、そのコンテンツの内容を把握することができる。
これに対し、ヘッダフィールドにコンテンツに関する著作権情報が記載されていないＤＣＦファイルの場合には、図４の（ｂ）に示すように、そのコンテンツファイルのファイル名、大きさ、ファイルの作成日が表示されるのみであり、ユーザは、そのコンテンツの内容を認識することができない。
【００１８】
なお、上述の例では、コンテンツが音楽データである場合について説明したが、他のメディアタイプのコンテンツについても同様に、そのコンテンツに関する著作権情報を表示することができる。
例えば、画像を表示するアプリケーションプログラムから前記メモリ２７に保存されている画像コンテンツのコンテンツファイルのファイル情報を表示させた場合には、前記「Content-Name」ヘッダ、「Content-Descriptor」ヘッダ、及び、「Content-Vender」ヘッダを、それぞれ、「画像名」、「画像の説明」及び「コンテンツプロバイダ名」と解釈して前記表示部２７に表示するようにすればよい。
【００１９】
また、上述のようにコンテンツファイルを利用するアプリケーションプログラムからではなく、ファイルマネージャなどのプログラムを用いてファイル情報を表示させるときにも、コンテンツの著作権情報を読み出して表示部に表示させることができる。この場合には、そのコンテンツのメディアタイプに応じて、「Content-Name」ヘッダ、「Content-Descriptor」ヘッダ、及び「Content-Vender」ヘッダの各データの内容の定義を決定するようにすればよい。
このように、ヘッダフィールドに記載されている「Content-Name」ヘッダ、「Content-Descriptor」ヘッダ、及び「Content-Vender」の意味付けをメディアタイプにより変更させることにより、より的確な情報を表示させることができる。
なお、上記においては、「Content-Name」、「Content-Descriptor」、及び「Content-Vender」の各ヘッダを記述する場合について説明したが、他の名称のヘッダを定義して使用することもできる。
【図面の簡単な説明】
【００２０】
【図１】本発明のサーバ装置及び移動端末を有する移動体通信システムの要部構成を示すブロック図である。
【図２】本発明の移動端末装置のハードウェア構成の概略を示すブロック図である。
【図３】本発明のサーバ装置から移動端末に配信されるコンテンツファイル（ＤＣＦファイル）について説明するための図であり、（ａ）はOMA DRMにより規定されているＤＲＭコンテンツフォーマットの仕様を示す図であり、（ｂ）は本発明によるコンテンツファイルの一例を示す図である。
【図４】ファイル情報を表示させたときの表示例を示す図であり、（ａ）は本発明のサーバ装置から配信されるコンテンツファイルのファイル情報を表示させたとき、（ｂ）は従来のコンテンツファイルのファイル情報を表示させたときの表示画面の例を示す図である。
【符号の説明】
【００２１】
１：移動端末装置、２：移動体通信網、３：ＧＧＳＮ、４：ＳＭＳＣ、５：ＷＡＰゲートウエイ（ＷＡＰ−ＧＷ）、６：プッシュ・プロキシ・ゲートウエイ（ＰＰＧ）、７：ウェブ・ゲートウエイ（ＷＧＷ）、８：ＤＲＭトランザクション管理サーバ（ＤＲＭＴＭＳ）、９：ライセンスサーバ（ＬＳ）、１０：パッケージングサーバ（ＰＳ）、１１：インターネット、１２：コンテンツ・プロバイダ（ＣＰ）、２１：アンテナ、２２：無線通信部、２３：信号処理部、２４：マイク、２５：スピーカ、２６：制御部、２７：メモリ、２８：表示部、２９：キー入力部
【図１】
2006067434.tif 000003
【図２】
2006067434.tif 000004
【図３】
2006067434.tif 000005
【図４】
2006067434.tif 000006